(57)【要約】【課題】セイフティーワイヤーを鉄塔主材に固定する下部固定金具を構成する鉄製の部材が雨水によって経時的に発錆して劣化し、破損することを防止する。【解決手段】樹脂製のカバー本体２と、カバー本体をセイフティーワイヤーの下部に固定する締結手段３０と、を備え、カバー本体は、ワイヤー下部の外面に密着する筒状の上部筒体５と、上部筒体の下部開口と上部開口を連通させた状態で一体化されて下方に向けて傘状に拡開する下部傘部１０と、を備え、締結手段は、少なくとも上部筒体を水密的にワイヤー下部の外面に密着させた状態で締結固定する。【選択図】図５
2014105546.tif 000002
【特許請求の範囲】
【請求項１】
上部を鉄塔主材の上部に固定されたアルミニウム製のセイフティーワイヤーの下部を鉄塔主材の下部に固定する下部固定金具の防錆カバーであって、
前記下部固定金具は、前記セイフティーワイヤーの下部に固定されたアルミニウム製の連結具と、該連結具により上部を支持されて下方へ延びる鉄製のボルト部材と、該ボルト部材を前記鉄塔主材下部に着脱自在に固定する固定部材と、を備え、
前記防錆カバーは、樹脂製のカバー本体と、該カバー本体を前記セイフティーワイヤーの下部に固定する締結手段と、を備え、
前記カバー本体は、前記連結具から上方に延びる前記セイフティーワイヤー下部の外面に密着する筒状の上部筒体と、該上部筒体の下部開口と上部開口を連通させた状態で一体化されて下方に向けて傘状に拡開することにより前記連結部、及び前記ボルト部材を覆う下部傘部と、を備え、
前記締結手段は、少なくとも前記上部筒体を水密的に前記セイフティーワイヤー下部の外面に密着させた状態で締結固定するように構成されていることを特徴とする下部固定金具の防錆カバー。
【請求項２】
前記上部筒体の内面には、撚り線である前記セイフティーワイヤー外面の螺旋溝内に入り込んで密着する密着層が形成されていることを特徴とする請求項１に記載の下部固定金具の防錆カバー。
【請求項３】
前記下部傘部の内面には、上部開口から下部開口に向けて延びる内周溝が周方向に連続して形成されていることを特徴とする請求項１又は２に記載の下部固定金具の防錆カバー。
【請求項４】
前記下部傘部の内周縁から内径方向へ向けて突出した環状の返し片を設けたことを特徴とする請求項１乃至３の何れか一項に記載の下部固定金具の防錆カバー。
【発明の詳細な説明】
【技術分野】
【０００１】
本発明は送電鉄塔の主材に沿って上下方向に配設されるセイフティーワイヤーを主材に固定する下部固定金具を構成する鉄製の部材が雨水によって経時的に発錆して劣化し、破損することを防止することができる下部固定金具の防錆カバーに関するものである。
【背景技術】
【０００２】
送電鉄塔には、保守点検のために作業員が昇降塔する際の墜落事故を防止するために、墜落防止装置が設けられている。墜落防止装置は、鉄塔主材の上部から下部に向けて配設したアルミニウム製の撚り線から成るセイフティーワイヤーと、昇降塔する作業員が身につける専用のロリップ（昇降器）等、から構成される。
セイフティーワイヤーは、上部、中間部、及び下部を固定金具によって鉄塔主材に固定される一方で、それ以外の適所を支持金具によって鉄塔に対して着脱自在に支持されている。
即ち、作業員が装着した安全帯に取付けられた胴綱には、セイフティーワイヤーに沿って移動自在に取り付けられる専用のロリップ（昇降器）が設けられており、作業員の昇降に伴ってロリップが支持金具を通過する際には支持金具によるセイフティーワイヤーの把持状態を一時的に解除してセイフティーワイヤーを支持金具から離脱させた上でロリップを通過させる。
そして、作業員が昇降塔する過程で鉄塔から足や手を滑らせたとしても、支持金具や、固定金具等がロリップに対するストッパとなって長距離の落下と、墜落を防止できるようにしている。
【０００３】
図８は従来の墜落防止装置の構成説明図であり、鉄塔１００の主材１０１には図示しない上部固定金具、中間固定金具、及び下部固定金具１０５によりセイフティーワイヤーＷが上下方向へ配設されている。下部固定金具１０５は、セイフティーワイヤーＷの下部を固定するアルミニウム製の連結具１０７と、連結具により上部環状部１０８ａを支持されて下方へ延びる鉄製のボルト部材１０８と、ボルト部材の雄螺子部１０８ｂを螺着する螺着部１１０ａを備えてボルト部材を鉄塔下部に着脱自在に固定する固定部材１１０と、を備えている。
連結具１０７をセイフティーワイヤーＷと同材質のアルミニウムとしている理由は、セイフティーワイヤーＷと直接接触する部材であるために、異金属製であると化学反応により劣化が促進するためである。
ところで、下部固定金具１０５は常時風雨に曝されており、雨水の繰り返し付着により鉄製のボルト部材１０８は発錆し易く、発錆による劣化したボルト部材は昇降塔する際の振動や衝撃により破壊し易くなる。ボルト部材が破壊するとセイフティーワイヤーが下部固定金具から離脱するため、セイフティーワイヤーが振れて作業員が宙吊りになる危険性がある。
【０００４】
また、作業員の昇降塔時には支持金具とセイフティーワイヤーとの係合を解除しながら移動するが、ボルト部材が破壊すると、それまで張力を付与された状態で固定されていたセイフティーワイヤーが上方に跳ね上がって鉄塔に充電部に接触する危険性がある。
また、下部固定金具の腐食したボルト部材を新たなものと交換する場合、新たな下部固定金具一基の重量が約５ｋｇ程度、工具が約１ｋｇ、ワイヤーを引っ張るための工具が３ｋｇとなるため、現場への運搬、鉄塔への取付に際して多大な労力、費用を要することとなる。
このような不具合に対処するために、下部固定金具の鉄製部分に定期的に防錆剤を塗布して発錆の進行を抑制しているが、それに要する労力と費用も膨大なものとなっている。
【０００５】
特許文献１の「雨水流入防止構造」には、雨水がセイフティーワイヤーを伝わって下部固定金具から鉄塔側に流入することを防止するために、下部固定金具に、セイフティーワイヤーを伝わってきた雨水を鉄塔側以外に導く雨水制御部を設けた構成が開示されている。下部固定金具への水分付着による発錆をも防止するものである。
特許文献１は、セイフティーワイヤーを固定する下部固定金具が雨水により発錆することを防止するものであるが、下部固定金具を完全に覆って雨水の付着を防止している訳ではないので、風雨により下部固定金具が濡れることを防止できず、ボルト部材の発錆を防止することはできない。
【０００６】
特許文献２の「物干しハンガー枠装置」は、洗濯ばさみを吊り下げた物干しの外側を包囲して雨水やほこりが洗濯物に付着することを防止するための防水カーテンに関するものである。これは、雨水から保護したい洗濯物などを防水カーテンにより包囲する技術であり、セイフティーワイヤーの下部固定金具への雨水付着防止、発錆防止を目的としたものではない。このため、この防水カーテンを下部固定金具に適用しても防水に役立てることはできない。
【先行技術文献】
【特許文献】
【０００７】
【特許文献１】特開２０１２−３１６９６公報
【特許文献２】特開２０１０−１６６９６４公報
【発明の概要】
【発明が解決しようとする課題】
【０００８】
送電鉄塔における墜落防止装置にあっては、下部固定金具を構成する鉄製の部材が風雨に曝されて経時的に発錆し劣化易いため、作業員の昇降塔時にこの鉄製部材が破損して事故の原因となることがある。
本発明は上記に鑑みてなされたものであり、送電鉄塔の主材に沿って上下方向に配設されるセイフティーワイヤーを主材に固定する下部固定金具を構成する鉄製の部材が雨水によって経時的に発錆して劣化し、破損することを防止する下部固定金具の防錆カバーを提供するものである。
【課題を解決するための手段】
【０００９】
上記目的を達成するため、請求項１の発明は、上部を鉄塔主材の上部に固定されたアルミニウム製のセイフティーワイヤーの下部を鉄塔主材の下部に固定する下部固定金具の防錆カバーであって、前記下部固定金具は、前記セイフティーワイヤーの下部に固定されたアルミニウム製の連結具と、該連結具により上部を支持されて下方へ延びる鉄製のボルト部材と、該ボルト部材を前記鉄塔主材下部に着脱自在に固定する固定部材と、を備え、前記防錆カバーは、樹脂製のカバー本体と、該カバー本体を前記セイフティーワイヤーの下部に固定する締結手段と、を備え、前記カバー本体は、前記連結具から上方に延びる前記セイフティーワイヤー下部の外面に密着する筒状の上部筒体と、該上部筒体の下部開口と上部開口を連通させた状態で一体化されて下方に向けて傘状に拡開することにより前記連結部、及び前記ボルト部材を覆う下部傘部と、を備え、前記締結手段は、少なくとも前記上部筒体を水密的に前記セイフティーワイヤー下部の外面に密着させた状態で締結固定するように構成されていることを特徴とする。
【００１０】
請求項２の発明は、前記上部筒体の内面には、撚り線である前記セイフティーワイヤー外面の螺旋溝内に入り込んで密着する密着層が形成されていることを特徴とする。
請求項３の発明は、前記下部傘部の内面には、上部開口から下部開口に向けて延びる内周溝が周方向に連続して形成されていることを特徴とする。
請求項４の発明は、前記下部傘部の内周縁から内径方向へ向けて突出した環状の返し片を設けたことを特徴とする。
【発明の効果】
【００１１】
本発明によれば、下部固定金具を覆う防水カバーをセイフティーワイヤー下部に固定したので、下部固定金具を構成する鉄製の部材が雨水によって経時的に発錆して劣化し、破損することを防止することができる。下部傘部内に浸水してきた場合には傘部内面に設けた内周溝が水を捕捉して下方へ誘導するため、鉄製の部材に水が付着することを防止できる。
【図面の簡単な説明】
【００１２】
【図１】本発明の下部固定金具の防錆カバーを下部固定金具に装着した状態を示すイメージ図である。
【図２】防錆カバーを装着した状態を示す詳細図である。
【図３】（ａ）は防錆カバーの外観斜視図、（ｂ）は平面図である。
【図４】防錆カバーの縦断面図である。
【図５】防錆カバーの各部における防水機能を説明する断面図である。
【図６】下部傘部の端縁の一部断面図である。
【図７】本発明の他の実施形態に係る防錆カバーの縦断面図である。
【図８】従来の墜落防止装置の構成説明図である。
【発明を実施するための形態】
【００１３】
以下、本発明を図面に示した実施の形態により詳細に説明する。
図１は本発明の下部固定金具の防錆カバーを下部固定金具に装着した状態を示すイメージ図であり、図２は防錆カバーを装着した状態を示す詳細図であり、図３（ａ）は防錆カバーの外観斜視図、（ｂ）は平面図であり、図４は防錆カバーの縦断面図であり、図５は防錆カバーの各部における防水機能を説明する断面図であり、図６は下部傘部の端縁の一部断面図である。
墜落防止装置は、鉄塔主材に固定されるアルミニウム製のセイフティーワイヤーＷと、セイフティーワイヤーを鉄塔主材１０１に固定する上部固定金具、中間固定金具、及び下部固定金具１０５と、作業員が身に付けた安全帯から延びる胴綱に取り付けられた図示しないロリップと、から概略構成されている。
【００１４】
図１に示すように鉄塔１００の主材１０１には図示しない上部固定金具、中間固定金具、及び下部固定金具１０５によりセイフティーワイヤーＷが上下方向へ配設された状態で固定されている。下部固定金具１０５は、セイフティーワイヤーＷの下部を固定するアルミニウム製の連結具１０７と、連結具により上部環状部１０８ａを支持されて下方へ延びる鉄製のボルト部材１０８と、ボルト部材の雄螺子部１０８ｂを螺着する螺着部１１０ａを備えてボルト部材を鉄塔下部に着脱自在に固定する固定部材１１０と、を備えている。
防錆カバー１は、図１に示すように連結具１０７の直上に位置するセイフティーワイヤーＷの下部に固定された状態で連結具１０７、及びボルト部材１０８を傘状に覆う樹脂製のカバー本体２と、カバー本体をセイフティーワイヤーの下部に固定するインシュロック等の締結手段３０と、を備えている。
カバー本体２は、連結具１０８から上方に延びるセイフティーワイヤー下部の外面に密着する筒状の上部筒体５と、上部筒体５の下部開口５ａと上部開口１０ａを連通させた状態で一体化されて下方に向けて傘状に拡開することにより連結部、及びボルト部材を覆う下部傘部１０と、を備えている。上部筒体５と下部傘部１０とは、一体化されることにより、両部材の境界からの漏水を防止する。また、セイフティーワイヤー等への取付けのために、図示のように軸方向へ延びる接合線Ｌにて開閉できるように構成されている。
【００１５】
接合線Ｌの両側に位置する上部筒体５の端縁７と、下部傘部１０の端縁１１は、図６の一部断面図に示すようにオーバーラップするように構成すると共に、互いに整合し合う波形部７ａ、１１ａを設けて離脱しにくく構成する。波形部７ａについては図示していないが、波形部１１ａと同様である。
波形部同士は、軸方向全長に渡って互いに密着して整合し合うように予め寸法設定されており、波形部の数や、周方向長を増大させることにより、防水性を確保することができる。端縁同士は、重ね合った状態で耐候性を有した強力接着剤や、片面テープや、両面テープ等により接合することにより、防水性を確保できる。
波形部を設けなくても、端縁同士を重ね合わせた状態で接着すれば防水性の確保は容易である。
カバー本体２の材質は、風雨や、落下物からの衝撃で破損しない程度の柔軟性と強度、更には耐候性を有し、且つ十分な保形性を有したプラスチック材料から構成する。また、カバー本体内部に位置するボルト部材等の状態（発錆状態）を目視確認できるように、少なくとも一部を透明にしてもよい。
【００１６】
上部筒体５の内面には、撚り線であるセイフティーワイヤー外面の螺旋溝内に入り込んで隙間を塞ぐように密着する軟質な材料（パッキン）から成る密着層６を形成する。或いは、セイフティーワイヤー外面の螺旋溝内に入り込んで密着する螺旋突条から成る密着層６を上部筒体の内壁に形成しても良い（図２）。
つまり、密着層６は、カバー本体２の基材層の内面に柔軟な別材質を用いてパッキン層として構成してもよいし、カバー本体自体の内壁に螺旋突条として構成してもよい。また、密着層は撥水性のある材質から構成する。
【００１７】
密着層６は、セイフティーワイヤー外面の螺旋溝と上部筒体内壁との間に形成され易い螺旋状の空隙を密封するため、上部筒体の上部開口からの水の浸入を防止することができる。
セイフティーワイヤーを伝わって流下してきた雨水は、上部筒体とセイフティーワイヤーとの間から内部に浸入できないため、上部筒体の外面を伝わって下部傘部１０の外面に沿って流下し、地上に落下する。
【００１８】
次に、本発明では、下部傘部１０の内面に、上部開口１０ａから下部開口１０ｂに向けて延びる内周溝１２を周方向に連続して形成している。このように下部傘部の内面に下方へ向かって延び、且つ溝幅が数ｍｍ程度の内周溝１２を全周に渡って多数形成することにより、毛細管現象を利用して上部筒体５の内壁を伝わって流下してくる水分を内周溝内に誘導、捕捉することができる（図４）。
即ち、上部筒体５の上部開口は締結手段３０により閉塞され、且つその内面には密着層６があるため、セイフティーワイヤーとの隙間から水が浸入することは考えにくい。しかし、締結手段３０による締結が不十分であったり、上部筒体が損傷する等の原因により、万が一雨水が内部に浸入した場合であっても、水の大半を下部傘部１０の内面の内周溝１２内に吸引、誘導できる。このため、水が連結具１０７を経由してボルト部材１０８へ進入することを阻止することができる。下部傘部１０の内面を伝わって流下した雨水は、下部開口１０ｂから地上に落下し、ボルト部材を濡らすことがない。
なお、仮に内周溝１２が存在しないとしても、上部筒体内に浸入した大半の水分は傘部内壁に沿って落下してゆくので、防水効果を発揮することができる。
【００１９】
また、下部傘部１０は、直接その外面に落下してくる雨水は勿論、セイフティーワイヤーを伝わって流下してくる雨水を外面に導くことにより、ボルト部材１０８に付着することを防止できる。
このように構成したため、下部傘部１０の軸方向長を図１のように比較的短くしても上から落下してくる雨水に対する防水手段として効果的に機能する。ただ、左右方向から吹き付ける雨水がボルト部材に直接付着することを防ぐためには、下部傘部１０がボルト部材全体を覆うように下方へ向けて長くしてもよい。
【００２０】
締結手段３０は、少なくとも上部筒体５を水密的にセイフティーワイヤー下部の外面に密着させた状態で締結固定するように構成されている。本例では、インシュロックを例示しているが、ビニルテープ、細いワイヤー等々であっても、長期的に防水性を維持できるものであれば限定はない。
本発明の下部傘部１０は、下部開口１０ｂが開口しているため、暴風雨に際してはボルト部材に雨水が付着することを防止できないが、通常の風雨程度であれば十分に雨水の付着を防止できる。このため、防錆カバー１を装着しない場合に比してボルト部材の発錆による劣化を大幅に遅延させることができる。
【００２１】
次に、図７は本発明の他の実施形態に係る防錆カバーの縦断面図である。
この防錆カバー１は、下部傘部１０の下部開口１０ｂの周縁に、内径方向に向けて突出した環状の返し片１５を設けた点が特徴的である。返し片１５は、その内側端縁１５ａをボルト部材１０８と近接（接触）させてもよいし、図示のように離間させてもよい。
返し片１５は、風雨が強いとき等に雨水が下部開口から下部傘部内に浸入することを極力防止するための手段である。このため、図示のように中央（内側端縁１５ａ）に向かって下向きに傾斜させるのが好ましいが、水平としたり、或いは中央に向かって上向きに傾斜させるようにしてもよい。
押し返し片１５は、下部傘部１０の下部開口１０ｂの周縁に一体化し、その材質は下部傘部と同様に十分な耐久性、強度、柔軟性を有した樹脂材料から構成する。
このように本発明では、下部固定金具を覆う防水カバーをセイフティーワイヤー下部に固定したので、下部固定金具を構成する鉄製の部材が雨水によって経時的に発錆して劣化し、破損することを防止することができる。
【００２２】
上部筒体とワイヤーとの間には基本的に水が浸入しにくい構造となっている。万が一上部筒体内に水が浸入したとしても、大半の水分は傘部内壁に沿って落下してゆく。
下部傘部内に浸水してきた場合には傘部内面に設けた内周溝が水を捕捉して下方へ誘導するため、鉄製の部材に水が付着することを防止できる。
上部筒体はその内周面にセイフティーワイヤーと密着する撥水性を有した密着層を有しているため、通常の状態ではその上部開口からの浸水を防止することができる。
【符号の説明】
【００２３】
１…防錆カバー、２…カバー本体、５…上部筒体、５ａ…下部開口、６…密着層、７…端縁、７ａ…波形部、１０…下部傘部、１０ａ…上部開口、１０ｂ…下部開口、１１…端縁、１１ａ…波形部、１２…内周溝、１５ａ…内側端縁、３０…締結手段
【図１】
2014105546.tif 000003
【図２】
2014105546.tif 000004
【図３】
2014105546.tif 000005
【図４】
2014105546.tif 000006
【図５】
2014105546.tif 000007
【図６】
2014105546.tif 000008
【図７】
2014105546.tif 000009
【図８】
2014105546.tif 000010